(57)【特許請求の範囲】
【請求項１】
端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前面対向壁を有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定されるコネクタ支持構造であって、
前記リアホルダ上の前面上で、前記ねじ止め部に対して前記ハウジング本体の中心軸位置とは反対側となる自由端側領域の部分に、前記ねじ止め部のねじ止め時に、前記前面対向壁に押圧される突起部が設けられたことを特徴とするコネクタ支持構造。
【請求項２】
端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前面対向壁と、前記リアホルダの背面側を覆う背面対向壁とを有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定されるコネクタ支持構造であって、
前記リアホルダ上の背面側で、前記ハウジング本体の中心軸位置に対して前記ねじ止め部とは反対側となる自由端側領域の部分に、前記背面対向壁に当接するスペーサが突設され、前記スペーサが前記背面対向壁に当接することで、前記自由端側領域の部分の前記背面対向壁側への変位が規制されることを特徴とするコネクタ支持構造。
【請求項３】
前記収容ケースは、前記リアホルダの背面側を覆う前記背面対向壁を更に有し、
前記リアホルダ上の背面側で、前記ハウジング本体の中心軸位置に対して前記ねじ止め部とは反対側となる自由端側領域の部分に、前記背面対向壁に当接するスペーサが突設され、前記スペーサが前記背面対向壁に当接することで、前記自由端側領域の部分の前記背面対向壁側への変位が規制されることを特徴とする請求項１に記載のコネクタ支持構造。
【発明の詳細な説明】
【技術分野】
【０００１】
本発明は、端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、前面対向壁を有する収容ケースと、を備え、前記ねじ止め部が、その前面側に対向する位置に前記前面対向壁が配置された状態で、該前面対向壁にねじ止めされており、これにより前記ハウジング本体が前記収容ケースに固定されるコネクタ支持構造に関する。
【背景技術】
【０００２】
図１１はハウジング本体の後部にリアホルダが係合装着される形式のコネクタの従来例であり、図１２は図１１に示したコネクタにおいて、ハウジング本体にリアホルダを係合させる組み立て途中の状態を示したものである。
【０００３】
図１１及び図１２に示したコネクタ１０１は、下記特許文献１に開示されたもので、端子収容孔１０３を有した樹脂製のハウジング本体１０５と、該ハウジング本体１０５の後部に係合して端子収容孔１０３に収容されている接続端子１０７を押さえるリアホルダ１０９と、を備えている。
【０００４】
ハウジング本体１０５は、先端側（図１１では左端側）に相手のコネクタハウジングが嵌合接続された時に、相手コネクタの接続端子が挿入される相手端子受入孔１１１が、端子収容孔１０３に隣接して形成されている。
【０００５】
ハウジング本体１０５の端子収容孔１０３に収容される接続端子１０７は、電線１１１の先端部に圧着接続される板金製の圧着端子であり、電線１１３の長さ方向に沿って、被覆加締め部１０７ａと、導体加締め部１０７ｂと、端子収容孔１０３内に嵌合する略角筒状の端子本体部１０７ｃとが形成されている。また、端子本体部１０７ｃには、隣接する相手端子受入孔１１１内に突出して、該相手端子受入孔１１１に進入してきた相手側接続端子との弾性接触により相手側接続端子との電気的接続を果たす弾性接触片１０７ｄが設けられている。
【０００６】
リアホルダ１０９は、図１２に示すように、ハウジング本体１０５の後部のホルダ係合用の開口１２１に係合突起部１３１を挿入すると、係合突起部１３１に装備された端子係止部１３３が図１１に示すように端子本体部１０７ｃの後端に当接して、接続端子１０７を押さえ込む。また、係合突起部１３１において端子係止部１３３とは逆側に突出して装備された可撓腕１３５の端部の傾斜面１３５ａが、開口１２１の端縁に形成された係止片１２３の係止用斜面１２３ａに係合して、図１１に示すように、ハウジング本体１０５の後部に合体した状態になる。
【０００７】
【特許文献１】特開平９−２１３３９９号公報
【発明の開示】
【発明が解決しようとする課題】
【０００８】
以上のように、ハウジング本体１０５の後部にリアホルダ１０９を備えるコネクタ１０１では、収容する接続端子の数量が多い多極型になると、相手コネクタとの接続時に、端子を押さえるリアホルダ１０９により大きな操作力が作用するようになる。そのため、リアホルダ１０９をより高い結合強度で、ハウジング本体１０５又は該ハウジング本体１０５を収容する収容ケースに固定する必要が生じる。
【０００９】
そして、リアホルダ１０９を高い結合強度で固定する方法の一つとして、ねじ止めが考えられる。
【００１０】
この場合に、ハウジング本体１０５上の各接続端子１０７に作用するリアホルダ１０９からの押さえ力にばらつきが生じないように、リアホルダ１０９をしっかりと固定するには、リアホルダ１０９上に、ハウジング本体１０５の中心軸に対して対称配置となるように複数のねじ止め部を装備すると良い。
【００１１】
しかし、ハウジング本体１０５やリアホルダ１０９は、それらが取り付けられる機器の構造等からの制約で、形状や寸法に各種の制限が課される場合が少なくなく、形状や寸法の制限のために、ハウジング本体１０５の中心軸に対して対称となるリアホルダ上の位置には、ねじ止め部を設ける余裕を確保できなくなる場合も少なくない。
【００１２】
そのような場合には、リアホルダ１０９上に装備するねじ止め部の位置は、妥協して、ハウジング本体の中心軸位置に対して片側に偏心した位置に設定することになる。
【００１３】
ところが、リアホルダ１０９上に装備するねじ止め部の位置がハウジング本体の中心軸位置に対して片側に偏心しているコネクタでは、ねじ止めによってリアホルダ１０９に働く押圧力が、ねじ止め部の周辺と、ねじ止め部から離れた領域とで大きくばらついてしまい、その結果、相手コネクタとの嵌合接続時等に、ねじ止め部から離れた側が収容ケース内に落ち込むように大きく変位したり、無理な変形が加わり、コネクタ相互間における結合不良や、コネクタの破損等の不都合を招くおそれがあった。
【００１４】
本発明の目的は、上記課題を解消することに係り、ハウジング本体内の接続端子を押さえるリアホルダの固定のために当該リアホルダに装備するねじ止め部が前記ハウジング本体の中心軸位置に対して片側に偏心して装備されている場合でも、相手コネクタとの嵌合接続時等に、リアホルダのねじ止め部から離れた側が収容ケース内に落ち込むように大きく変位したり変形することに起因した不都合が生じることのないコネクタ支持構造を提供することにある。
【課題を解決するための手段】
【００１５】
本発明の上記目的は、下記構成により達成される。
（１）  端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前面対向壁を有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定されるコネクタ支持構造であって、
前記リアホルダ上の前面上で、前記ねじ止め部に対して前記ハウジング本体の中心軸位置とは反対側となる自由端側領域の部分に、前記ねじ止め部のねじ止め時に、前記前面対向壁に押圧される突起部が設けられたことを特徴とするコネクタ支持構造。
【００１６】
（２）  端子収容孔を有したハウジング本体と、該ハウジング本体の後部に係合して前記端子収容孔に収容されている接続端子を押さえるリアホルダと、前記ハウジング本体の中心軸位置に対して片側に偏心するように前記リアホルダに形成されたねじ止め部と、を有するコネクタと、
前面対向壁と、前記リアホルダの背面側を覆う背面対向壁とを有する収容ケースと、
を備え、
前記ねじ止め部が、その前面側に対向する位置に前記前面対向壁が配置された状態で、該前面対向壁にねじ止めされており、これにより前記ハウジング本体が前記収容ケースに固定されるコネクタ支持構造であって、
前記リアホルダ上の背面側で、前記ハウジング本体の中心軸位置に対して前記ねじ止め部とは反対側となる自由端側領域の部分に、前記背面対向壁に当接するスペーサが突設され、前記スペーサが前記背面対向壁に当接することで、前記自由端側領域の部分の前記背面対向壁側への変位が規制されることを特徴とするコネクタ支持構造。
【００１７】
（３）  前記収容ケースは、前記リアホルダの背面側を覆う背面対向壁を更に有し、
前記リアホルダ上の背面側で、前記ハウジング本体の中心軸位置に対して前記ねじ止め部とは反対側となる自由端側領域の部分に、前記背面対向壁に当接するスペーサが突設され、前記スペーサが前記背面対向壁に当接することで、前記自由端側領域の部分の前記背面対向壁側への変位が規制されることを特徴とする前記（１）に記載のコネクタ支持構造。
【発明の効果】
【００１８】
前記（１）に記載した本発明によるコネクタ支持構造では、リアホルダに装備されるねじ止め部がハウジング本体の中心軸位置に対して片側に偏心していても、リアホルダのねじ止め時には、ハウジング本体の中心軸位置を挟んでその両側に位置しているリアホルダ上の突起部と自由端側領域の部分との２箇所がしっかりと収容ケースの前面対向壁に当接した傾斜状態でリアホルダの締め付けが進む。そのため、ハウジング本体の中心軸位置に対してねじ止め部とは反対側に位置しているリアホルダの自由端側領域の部分でも、ねじの締め付けに対応して、強い押圧力を得ることができる。
【００１９】
そのため、ねじ止めによってリアホルダに働く押圧力が、ねじ止め部の周辺とねじ止め部から離れた領域とで大きくばらつくことを防止することができ、リアホルダの全周に渡って、ばらつきが小さい安定した押圧力でしっかりと固定することができる。
【００２０】
従って、相手コネクタとの嵌合接続時に、押圧力不足のためにねじ止め部から離れた側が収容ケース内に落ち込むように大きく変位することがなく、また、コネクタの一部に無理な変形が加わることも無くなり、リアホルダの一部の領域の落ち込みや変形に起因したコネクタ相互間における結合不良、コネクタの破損等の不都合の発生を防止することができる。
【００２１】
更に、換言すると、リアホルダに装備されるねじ止め部が前記ハウジング本体の中心軸位置に対して片側に偏心して装備されている場合でも、押圧力のばらつきを原因としていた不都合が生じないため、リアホルダ上のねじ止め部の配置自由度が向上し、リアホルダ上のねじ止め部の配置設計を容易にできる。
【００２２】
また、前記（２）に記載した本発明によるコネクタ支持構造では、リアホルダに装備されるねじ止め部がハウジング本体の中心軸位置に対して片側に偏心して装備されている場合には、ねじ止めによってリアホルダ上に作用する前面対向壁への押圧力自体は、当該リアホルダのねじ止め部側と、ハウジング本体の中心軸位置に対してねじ止め部とは反対側に位置したリアホルダの自由端側とで差異が生じ、リアホルダの自由端側では弱くなる。
【００２３】
しかし、リアホルダの背面側を覆う背面ケースが取り付けられると、リアホルダの自由端側領域の部分に突設されたスペーサが背面ケースの背面対向壁に当接して、前記リアホルダの自由端側領域の部分の背面側への変位を規制する。
【００２４】
即ち、リアホルダの自由端側領域の部分に突設されたスペーサによる位置規制力が、リアホルダの自由端側領域の部分での押圧力の不足を補って、リアホルダのねじ止め部側と自由端側領域の部分との双方において、収容ケースの前面対向壁にしっかりと固定された状態を得ることができる。
【００２５】
従って、リアホルダに装備するねじ止め部が前記ハウジング本体の中心軸位置に対して片側に偏心して装備されている場合でも、ねじ止め部の周辺とねじ止め部から離れた領域の部分とのそれぞれをしっかりと固定することができ、相手コネクタとの嵌合接続時に、ねじ止めによる押圧力不足のためにねじ止め部から離れた側が収容ケース内に落ち込むように大きく変位することがなく、また、コネクタの一部に無理な変形が加わることも無くなり、リアホルダの一部の領域の部分の落ち込みや変形に起因したコネクタ相互間における結合不良、コネクタの破損等の不都合の発生を防止することができる。
【００２６】
更に、換言すると、リアホルダの固定のために当該リアホルダに装備するねじ止め部が前記ハウジング本体の中心軸位置に対して片側に偏心して装備されている場合でも、リアホルダの自由端側の領域の部分に装備したスペーサによりリアホルダの自由端側の領域の部分の落ち込みを防止できるため、リアホルダ上のねじ止め部の配置自由度が向上し、リアホルダ上のねじ止め部の配置設計を容易にできる。
【発明を実施するための最良の形態】
【００２７】
以下、本発明に係るコネクタ支持構造の好適な実施形態について、図面を参照して詳細に説明する。
【００２８】
（第１実施形態）
図１は本発明に係るコネクタ支持構造の第１実施形態のハウジング本体と該ハウジング本体の後部に係合したリアホルダの斜視図、図２は図１に示したハウジング本体及びリアホルダの組み立て状態の縦断面図、図３は図２に示したリアホルダの背面図、図４は図２に示したリアホルダの背面に回路基板が結合されると共に、リアホルダの前面に収容ケースが配置された状態のコネクタ縦断面図、図５は図４に示したリアホルダがその前面の収容ケースにねじ止めされた状態の縦断面図、図６は図５に示した収容ケースのコネクタ取付け部の概略形状を示す斜視図、図７は図５に示したリアホルダのねじ止め時の状態の説明図で、図７（ａ）は側面図、図７（ｂ）は図７（ａ）のＡ−Ａ矢視図、図８（ａ）は本発明の一実施形態のリアホルダ上の突起部の斜視図、図８（ｂ）は本発明に係るリアホルダ上の突起部の他の実施形態の斜視図である。
【００２９】
この第１実施形態のコネクタ支持構造におけるコネクタ１は、図１及び図２に示すように、多数の端子収容孔３を有した樹脂製のハウジング本体５と、該ハウジング本体５の後部に係合して端子収容孔３に収容されている各接続端子７を押さえる樹脂製のリアホルダ９と、を備えている。
【００３０】
接続端子７は、図２に示すように、端子収容孔３内に収容されて、相手側コネクタの接続端子が弾性嵌合する弾性嵌合部７ａと、リアホルダ９を貫通してリアホルダ９の背面側に突出する基板接続端子部７ｂとを板金で一体成形したものである。
【００３１】
図４及び図５に示すように、リアホルダ９の背面側には回路基板１１が配置され、また、リアホルダ９の前面側には、該リアホルダ９の前面が当接する前面対向壁１４を有した収容ケース１６が配置される。
【００３２】
回路基板１１は、リアホルダ９を貫通した接続端子７の基板接続端子部７ｂを導通接続する回路接点を備えたもので、基板接続端子部７ｂと基板上の導通接続には、半田付けによる接続が利用される。
【００３３】
本実施形態のリアホルダ９は、図３に示すように、ハウジング本体５の中心軸位置Ｇに対して片側に距離Ｌだけ偏心して一対のねじ止め部９ａが装備されている。
【００３４】
リアホルダ９は、その前面を収容ケース１６の前面対向壁１４に突き合わせるようにして、収容ケース１６の裏面側のホルダ取付け部１７に位置決めして、ねじ止め部９ａを前面対向壁１４にねじ止めすることにより、収容ケース１６に固定される。
【００３５】
本実施形態の場合、一対のねじ止め部９ａは、前面対向壁１４に当接する板部９ｂにねじ部材１８を挿通させる孔９ｃを貫通形成したもので、図５に示すように、該ねじ止め部９ａを挿通するねじ部材１８によって、収容ケース１６に固定される。
【００３６】
収容ケース１６の裏面側のホルダ取付け部１７は、前記リアホルダ９の外形に対応した菱形形状の前面対向壁１４を形成したもので、前面対向壁１４には、ハウジング本体５を挿通させるハウジング挿通穴１４ａと、ねじ部材１８が螺合する一対の雌ねじ部１４ｂが設けられている。
【００３７】
本実施形態の場合、図７に示すように、リアホルダ９上の前面上で、ねじ止め部９ａを挟んでハウジング本体５の中心軸位置Ｇとは反対側となる領域Ｓ１に、ねじ止め部９ａのねじ止め時に、前面対向壁１４に押圧される突起部２１を設けている。
【００３８】
本実施形態の場合、この突起部２１は、図８（ａ）に示すように、略三角形の断面で延在するリブ状突起であるが、図８（ｂ）に示すように、半球状突起としても良い。
【００３９】
以上に説明した第１実施形態のコネクタ支持構造では、ハウジング本体５内の接続端子７を押さえるリアホルダ９の固定のために当該リアホルダ９に装備するねじ止め部９ａがハウジング本体５の中心軸位置Ｇに対して片側に偏心して装備されている場合でも、リアホルダ９のねじ止め時には、図７（ａ）に示すように、ハウジング本体５の中心軸位置Ｇを挟んでその両側に位置しているリアホルダ９上の突起部２１と自由端側領域Ｓ２との２箇所がしっかりと収容ケース１６の前面対向壁１４に当接した傾斜状態でリアホルダ９の締め付けが進む。
【００４０】
そのため、ハウジング本体５の中心軸位置Ｇに対してねじ止め部９ａとは反対側に位置しているリアホルダ９の自由端側でも、ねじの締め付けに対応して、強い押圧力Ｐ２を得ることができる。
【００４１】
そのため、ねじ止めによってリアホルダ９に働く押圧力が、ねじ止め部９ａの周辺とねじ止め部９ａから離れた領域とで大きくばらつくことを防止することができ、リアホルダ９の全周に渡って、ばらつきが小さい安定した押圧力でしっかりと固定することができる。
【００４２】
従って、相手コネクタとの嵌合接続時に、押圧力不足のためにねじ止め部９ａから離れた側が収容ケース１６内に落ち込むように大きく変位することがなく、また、コネクタ１の一部に無理な変形が加わることも無くなり、リアホルダ９の一部の領域の落ち込みや変形に起因したコネクタ相互間における結合不良、コネクタ１の破損等の不都合の発生を防止することができる。
【００４３】
更に、換言すると、リアホルダ９の固定のために当該リアホルダ９に装備するねじ止め部９ａが、上記実施形態のように、ハウジング本体５の中心軸位置Ｇに対して片側に偏心して装備されている場合でも、押圧力のばらつきを原因としていた不都合が生じないため、リアホルダ９上のねじ止め部９ａの配置自由度が向上し、リアホルダ９上のねじ止め部９ａの配置設計を容易にできる。
【００４４】
（第２実施形態）
図９は本発明に係るコネクタ支持構造の第２実施形態の縦断面図、図１０は図９に示したリアホルダをその背面側から見た斜視図である。
【００４５】
この第２実施形態のコネクタ支持構造におけるコネクタ３１は、端子収容孔３を有したハウジング本体５と、該ハウジング本体５の後部に係合して端子収容孔３に収容されている接続端子７を押さえるリアホルダ９と、を備え、ハウジング本体５の中心軸位置Ｇに対して片側に距離Ｌだけ偏心して装備されたリアホルダ９上のねじ止め部９ａを、ねじ部材１８により、該ねじ止め部９ａの前面側に対向する前面対向壁１４にねじ止めすることによって、ハウジング本体５が前面対向壁１４を有した収容ケース１６に固定されるという基本構成は、第１実施形態のコネクタ１と共通である。
【００４６】
但し、この第２実施形態のコネクタ３１の場合は、収容ケース１６の背面側に、前記リアホルダ９の背面側を覆う背面ケース３３が装備された構成になっている。
【００４７】
そして、この第２実施形態のコネクタ３１の場合、前記リアホルダ９には、第１実施形態に示した突起部２１は装備されていない。その代わりに、図１０に示すように、リアホルダ９上の背面側で、ハウジング本体５の中心軸位置Ｇに対して前記ねじ止め部９ａとは反対側となる自由端側領域Ｓ２に、リアホルダ９の背面に対向している背面ケース３３の背面対向壁３３ａに当接して自由端側領域Ｓ２の背面対向壁３３ａ側への変位を規制する円柱状のスペーサ３５を突設している。
【００４８】
この第２実施形態のコネクタ３１では、ハウジング本体５内の接続端子７を押さえるリアホルダ９の固定のために当該リアホルダ９に装備するねじ止め部９ａがハウジング本体５の中心軸位置Ｇに対して片側に偏心して装備されているため、ねじ止めによってリアホルダ９上に作用する前面対向壁１４への押圧力自体は、当該リアホルダ９のねじ止め部９ａ側と、ハウジング本体５の中心軸位置Ｇに対してねじ止め部９ａとは反対側に位置したリアホルダ９の自由端側とで差異が生じ、リアホルダ９の自由端側では弱くなる。
【００４９】
しかし、リアホルダ９の背面側を覆う背面ケース３３が取り付けられると、リアホルダ９の自由端側領域Ｓ２に突設されたスペーサ３５が背面ケース３３の背面対向壁３３ａに当接して、リアホルダ９の自由端側領域Ｓ２の背面側への変位を規制する。
【００５０】
即ち、リアホルダ９の自由端側領域Ｓ２に突設されたスペーサ３５による位置規制力が、リアホルダ９の自由端側での押圧力の不足を補って、リアホルダ９のねじ止め部９ａ側と自由端側との双方において、収容ケース１６の前面対向壁１４にしっかりと固定された状態を得ることができる。
【００５１】
従って、リアホルダ９に装備するねじ止め部９ａが前記ハウジング本体５の中心軸位置Ｇに対して片側に偏心して装備されている場合でも、ねじ止め部９ａの周辺とねじ止め部９ａから離れた領域とのそれぞれをしっかりと固定することができ、相手コネクタ１との嵌合接続時に、ねじ止めによる押圧力不足のためにねじ止め部９ａから離れた側が収容ケース１６内に落ち込むように大きく変位することがなく、また、コネクタ３１の一部に無理な変形が加わることも無くなり、リアホルダ９の一部の領域の落ち込みや変形に起因したコネクタ相互間における結合不良、コネクタ３１の破損等の不都合の発生を防止することができる。
【００５２】
更に、換言すると、リアホルダ９の固定のために当該リアホルダ９に装備するねじ止め部９ａが前記ハウジング本体５の中心軸位置Ｇに対して片側に偏心して装備されている場合でも、リアホルダ９の自由端に装備したスペーサ３５によりリアホルダ９の自由端側の落ち込みを防止できるため、リアホルダ９上のねじ止め部９ａの配置自由度が向上し、リアホルダ９上のねじ止め部９ａの配置設計を容易にできる。
【００５３】
なお、本発明に係るコネクタ支持構造では、第１実施形態に示したように、リアホルダ９の前面上で、ねじ止め部９ａを挟んでハウジング本体５の中心軸位置Ｇとは反対側となる領域Ｓ１に、ねじ止め部９ａのねじ止め時に、前面対向壁１４に押圧される突起部２１を設けた構成にするだけでなく、更に、該リアホルダ９上の背面側で、ハウジング本体５の中心軸位置Ｇに対してねじ止め部９ａとは反対側となる自由端側領域Ｓ２に、リアホルダ９の背面側を覆う背面ケース３３の背面対向壁３３ａに当接して、前記ホルダ端部領域の前記背面対向壁３３ａ側への変位を規制するスペーサ３５を突設した構成とするようにしても良い。
【００５４】
このような構成は、第１実施形態の特徴に、第２実施形態の特徴を追加したもので、それぞれの特徴による作用効果を得ることができる。
【００５５】
その結果、更に堅固にリアホルダ９及びハウジング本体５を固定することが可能になり、リアホルダ９の自由端の落ち込みや変形に起因した不都合の発生をより確実に防止することができる。
【図面の簡単な説明】
【００５６】
【図１】本発明に係るコネクタ支持構造の第１実施形態のハウジング本体と該ハウジング本体の後部に係合したリアホルダの斜視図である。
【図２】図１に示したハウジング本体及びリアホルダの組み立て状態の縦断面図である。
【図３】図２に示したリアホルダの背面図である。
【図４】図２に示したリアホルダの背面に回路基板が結合されると共に、リアホルダの前面に収容ケースが配置された状態のコネクタ縦断面図である。
【図５】図４に示したリアホルダがその前面の収容ケースにねじ止めされた状態の縦断面図である。
【図６】図５に示した収容ケースのコネクタ取付け部の概略形状を示す斜視図である。
【図７】図５に示したリアホルダのねじ止め時の状態の説明図で、（ａ）は側面図、（ｂ）は（ａ）のＡ−Ａ矢視図である。
【図８】（ａ）は本発明の一実施形態のリアホルダ上の突起部の斜視図、（ｂ）は本発明に係るリアホルダ上の突起部の他の実施形態の斜視図である。
【図９】本発明に係るコネクタ支持構造の第２実施形態の縦断面図である。
【図１０】図９に示したリアホルダをその背面側から見た斜視図である。
【図１１】従来のコネクタの構成を示す縦断面図である。
【図１２】図１１に示したコネクタにおいてハウジング本体にリアホルダを係合させる組み立て時の状態を示す縦断面図である。
【符号の説明】
【００５７】
１  コネクタ
３  端子収容孔
５  ハウジング本体
７  接続端子
７ｂ  基板接続端子部
９  リアホルダ
９ａ  ねじ止め部
１１  回路基板
１４  前面対向壁
１６  収容ケース
１８  ねじ部材
２１  突起部
３１  コネクタ
３３  背面ケース
３３ａ  背面対向壁
３５  スペーサ
Ｇ  中心軸位置
Ｓ２  自由端側領域
【図１】
0005019468.tif 000002
【図２】
0005019468.tif 000003
【図３】
0005019468.tif 000004
【図４】
0005019468.tif 000005
【図５】
0005019468.tif 000006
【図６】
0005019468.tif 000007
【図７】
0005019468.tif 000008
【図８】
0005019468.tif 000009
【図９】
0005019468.tif 000010
【図１０】
0005019468.tif 000011
【図１１】
0005019468.tif 000012
【図１２】
0005019468.tif 000013